(57)【要約】【課題】前屈み姿勢の矯正又はからだを暖め・冷やすためのサポーターであって、肩にたすき掛けして使用することができる肩掛けサポーターを提供する。【解決手段】パイル地で長方形状の生地を形成し、当該生地を長手方向に二つ折りしてなる短辺部と長辺部を重ね合わせた帯状体において、当該帯状体の短辺部を縫着してなる環状体のサポーター１を成形し、前記重ね合った長辺部に一定間隔を有する複数の縫着部２と未縫着部３を設け、前記各縫着部２の端部から下方向に縫着し、未縫着部３の上部が開口される収納ポケット４を設け、当該ポケット４に熱媒体を収納する。【選択図】図１
0003151099.tif 000002
【実用新案登録請求の範囲】
【請求項１】
パイル地で長方形状の生地を形成し、当該生地の中央部を長手方向に二つ折りして短辺部と長辺部を重ね合わせた帯状体において、当該帯状体の短辺部を縫着してなる環状体のサポーターを成形し、前記重ね合った長辺部に一定間隔を有する複数の縫着部と未縫着部を設け、前記各縫着部の端部から下方向に縫着し、未縫着部の上部が開口される複数の収納ポケットを設けてなる、肩掛けサポーター。
【請求項２】
前記収納ポケットに、保温用又は冷却用の熱媒体を収納した請求項１記載の肩掛けサポーター。
【考案の詳細な説明】
【技術分野】
【０００１】  本考案は、椅子に着座又は歩行する時の姿勢を矯正し、または、熱媒体を用いてからだを保温又は冷却するためにたすき掛けして使用する、肩掛けサポーター。
【背景技術】
【０００２】  従来、背を丸めて着座する姿勢や歩行時に前屈みになる姿勢を矯正するため、自律回復を助ける作用を有する姿勢矯正具が提案されている（例えば、特許文献１参照）。【０００３】  からだを暖め又は冷やすための着用具としては、熱媒体を袋状のポケットに収容して使用する帯状体のサポーターが提案されている（例えば、特許文献２参照）。【０００４】  また、ひざ、ひじ、足首などの関節部を冷却するために、冷却材をポケットに収納して患部や筋肉を冷やすために使用する帯状体のサポーターが提案されている（例えば、特許文献３参照）。
【先行技術文献】
【特許文献】
【０００５】
【特許文献１】特開平１０−１５１１４９公報（２頁、図１）
【特許文献２】特開２００６−３１６３９４公報（２頁、図１）
【特許文献３】特開平８−２５７０４９公報（２頁、図２）
【考案の概要】
【考案が解決しようとする課題】
【０００６】  以上に述べた従来の姿勢矯正具は、環状ベルトと連結ベルトを調節する使用上の煩わしさがあった。また、保温用や冷却用の帯状体のサポーターは、保温・冷却対象の部位を選択することが主目的であって、夏期又は冬期にからだを暖め又は冷やすために使用するものではなかった。【０００７】  本考案は、椅子に着座する姿勢や歩行時における前屈み姿勢を矯正し、あるいはからだを暖め又は冷やすための装着用具であって、使用する場合は肩にたすき掛けの状態で着用が容易な、肩掛けサポーターの実現を目的とするものである。
【課題を解決するための手段】
【０００８】  本考案は、前記の課題を解決するため、以下の構成を採用した。【０００９】  パイル地を利用して長方形状の生地を形成し、当該生地の中央部を長手方向に二つ折りして短辺部と長辺部を重ね合わせた帯状体において、当該帯状体の短辺部を縫着してなる環状体のサポーターを成形し、前記重ね合った長辺部に一定間隔を有する複数の縫着部と未縫着部を設け、前記各縫着部の端部から下方向に縫着し、未縫着部の上部が開口される複数の収納ポケットを設け、当該収納ポケットの内面に一組の留め具を設けてなる環状体のサポーターである。【００１０】  また、前記収納ポケットに保温用又は冷却用の熱媒体を収納して保温用又は冷却用の肩掛けサポーターとする。
【効果】
本考案に係る肩掛けサポーターの効果を説明する。
【００１１】  本考案に係る肩掛けサポーターは、パイル地が有する伸縮性、吸汗性、速乾性に優れた特性を利用して環状体に成形したサポーターであって、当該サポーターの後方部をからだの腰部にあてがい、前方部を肩にたすき掛けして使用すると、パイル地の復元力によって自律回復を助ける作用をするので、前屈みの姿勢矯正具として使用することができる。
【００１２】  また、前記環状体のサポーターに一定間隔で複数の収納ポケットを設けたので、当該ポケットに保温用又は冷却用の熱媒体を収納することによって、からだを暖め又は冷やすために、肩にたすき掛けして使用することができる。
【図面の簡単な説明】
【００１３】
【図１】本考案に係る実施形態を示す斜視図である。
【図２】本考案に係る使用状態の正面を示す参考図である。
【図３】本考案に係る使用状態の背面を示す参考図である。
【考案を実施するための形態】
【００１４】  本考案に係る肩掛けサポーターの実施形態を、図面に基づいて説明する。
【００１５】  本考案は、パイル地で長方形状の生地を形成し、当該生地の中央部を長手方向に二つ折りして短辺部と長辺部を重ね合わせた帯状体において、当該帯状体の短辺部を縫着して環状体のサポーター１を成形し、前記重ね合った長辺部に一定間隔を有する複数の縫着部３と未縫着部を設け、前記各縫着部２の端部から下方向に縫着し、未縫着部３の上部が開口される複数の収納ポケット４を設け、当該収納ポケット４の内面に一組の留め具（図示せず）を設けてなる環状体のサポーターである。
【００１６】  このパイル地は伸縮性や着用感が優れた特性を有しているので、これを姿勢の矯正用として、肩にたすき掛けして使用する場合は、環状体のサポーター１をからだの頭部上方から胴体に通し、当該サポーター１の後方部Ｂに設けた収納ポケット４の部分を腰部付近にあてがって、サポーター１の前方部Ａに有する収納ポケット４の部分を腹部の前方へ向け、さらに当該サポーター１の前方部Ａを頭部の上方から肩の背面中央部にあてがった状態で、当該サポーター１の両側を夫々脇の下に通し、当該サポーター１の後方部Ｂを着用ズボンのベルトで腰部に締め付けて使用する。したがって、前屈み姿勢のときは、パイル地の有する復元力が前屈みを引き戻す自律回復を助ける作用をするので、姿勢を矯正するサポーターとして利用することができる。
【００１７】  また、前記環状体のサポーター１に、複数の収納ポケット４を設け、当該収納ポケット４に保温用又は冷却用の熱媒体（図示せず）を収納すると、からだを暖め又は冷やすために肩にたすき掛けして使用すると、保温又は冷却用のサポーターとして利用することができる。
【００１８】  この環状体のサポーター１は、前記したパイル地の特性を有しているので、これを保温又は冷却用のサポーターとして肩にたすき掛けして使用する場合は、当該環状体のサポーター１をからだの頭部上方から胴体に通し、当該サポーター１の後方部Ｂに設けた収納ポケット４の部分を腰部付近にあてがって、サポーター１の前方部Ａに設けた収納ポケット４の部分を腹部の前方へ向け、さらに当該サポーター１の前方部Ａを頭部の上方から肩の背面中央部にあてがった状態で、当該サポーター１の両側を夫々脇の下に通し、当該サポーター１の後方部Ｂを腰部付近にあてがった状態で使用する。なお、使用時において、腰部付近にあてがったサポーター１の位置が多少ずれるが、ポケット４に収納した熱媒体の効果は保持される。したがって、保温・冷却用のサポーターとして利用することができる。
【００１９】  前記収納ポケット４には、保温剤を小袋に充填した熱媒体（図示せず）又は冷却剤をポリオレフィン系フイルムの扁平な袋体に充填した熱媒体（図示せず）を収納することによって、保温又は冷却用の肩掛けサポーターとして提供され、上記目的が達成される。なお、収納ポケット４の内面に一組の留め具（図示せず）を設けると、収納した熱媒体の脱落を防ぐことが可能である。
【符号の説明】
【００２０】  １  環状体のサポーター
２  縫着部
３  未縫着部
４  収納ポケット
【図１】
0003151099.tif 000003
【図２】
0003151099.tif 000004
【図３】
0003151099.tif 000005